(57)【要約】【課題】特に、洗浄及び冷蔵庫等に保管を必要とする食品やケミカル液及び粘性液を移送・充填（ディスペンサ）・汲出（ディスチャージャ）する一軸偏心ねじポンプにおいて、色替え（取り扱う対象液を替える）が容易になると共に、ポンプの稼働率が向上する一軸偏心ねじポンプを提供する。【解決手段】駆動ユニットＵ６にポンプユニットＵ１を着脱可能に取り付ける。ポンプユニットＵ１には分割時に対象液が漏れないように構成した回転シール手段４を設けると共に、吸込口・吐出口には、対象液を封じ込める蓋２５，２７を設ける。ポンプユニットは複数台あり、そのうち１台のポンプユニットを駆動ユニットに取り付け、それの運転中に、残りのポンプユニットについて分解・洗浄・組立を行ったり、残りのポンプユニットを冷蔵室・殺菌室・恒温室等の保管室に保管したりする。【選択図】        図２
2004353605.tif 000002
【特許請求の範囲】
【請求項１】
ステータ内でロータを偏心回転させるポンプユニットと、前記ロータを偏心回転させる駆動源を有する駆動ユニットとを備える一軸偏心ねじポンプにおいて、
前記駆動ユニットと前記ポンプユニットとは着脱可能に連結され、
前記ポンプユニット側に、前記ポンプユニット内のポンプ室からの液漏れを防止する回転シール手段が配置されていることを特徴とする一軸偏心ねじポンプ。
【請求項２】
１台の駆動ユニットに対し着脱可能に取り付けられるポンプユニットを複数台有する請求項１記載の一軸偏心ねじポンプ。
【請求項３】
前記複数台のポンプユニットは、ポンプユニットごとにポンプ移送される対象液が異なるものである請求項２記載の一軸偏心ねじポンプ。
【請求項４】
前記回転シール手段は、回転部材であるドライブシャフトに対し設けられ、
前記ポンプユニットは、前記駆動ユニットから取り外された状態において、前記ドライブシャフトが軸方向に移動しないように構成されている請求項１〜３のいずれかに記載の一軸偏心ねじポンプ。
【請求項５】
前記駆動ユニットは、減速機付きモータにて回転駆動される出力軸を有し、この出力軸に係合部が形成される一方、
前記ポンプユニットは、ロータに連結されたドライブシャフトを有し、このドライブシャフトに前記係合部が係脱可能に係合される被係合部が形成され、
前記駆動ユニットとポンプユニットとの間に、前記出力軸の係合部とドライブシャフトの被係合部とが係合した状態で、前記駆動ユニットとポンプユニットとの連結を行うコネクタが設けられている請求項４に記載の一軸偏心ねじポンプ。
【請求項６】
前記駆動ユニットは、ロータ及びステータを有するポンプ本体と、このポンプ本体の一端部に設けられるエンドスタッドと、前記ポンプ本体の他端部に一端部が接続されるポンプケーシングと、このポンプケーシングの他端部側に設けられ前記ポンプ室を形成するサポートハウジングと、前記ポンプケーシングをポンプ本体に中間アダプタを介してクランプするクランプ装置とを備えるものである請求項５記載の一軸偏心ねじポンプ。
【請求項７】
前記ドライブシャフトに着脱可能な位置決めリングが取り付けられ、
前記サポートハウジングと中間アダプタとによって前記位置決めリングが、回転可能でかつポンプ長手方向の移動が規制されるように挟まれ、かつサポートハウジングに取り付けられた軸受により前記ドライブシャフトの回転を支持するようにした請求項６記載の一軸偏心ねじポンプ。
【請求項８】
前記駆動ユニットの出力軸に、一端部に前記ドライブシャフトが挿入されるカップリングスリーブの他端部が一体的に取付けられ、このカップリングスリーブ内にドライブピンがスリーブ直径方向に設けられる一方、
前記ドライブシャフトに駆動ユニット側端部をＵ字形に切り欠いて切り欠き部が形成されると共に、前記コネクタで連結される際に、前記切り欠き部とドライブピンとが係合することで、前記出力軸とドライブシャフトとが動力伝達可能に連結される請求項５〜７のいずれかに記載の一軸偏心ねじポンプ。
【請求項９】
駆動ユニットと、それに着脱可能に取り付けられる少なくとも２台のポンプユニットとを有する一軸偏心ねじポンプの取扱方法であって、
前記ポンプユニット側に、前記ポンプユニット内のポンプ室からの液漏れを防止する回転シール手段を配置し、
前記ポンプユニットのうち１台のポンプユニットを駆動ユニットに取り付け、それの運転中に、残りのポンプユニットについて分解・洗浄・組立を行うことを特徴とする一軸偏心ねじポンプの取扱方法。
【請求項１０】
駆動ユニットと、それに着脱可能に取り付けられる少なくとも２台のポンプユニットとを有する一軸偏心ねじポンプの取扱方法であって、
前記ポンプユニット側に、前記ポンプユニット内のポンプ室からの液漏れを防止する回転シール手段を配置し、ポンプユニットは、ユニットごとに異なる対象液をポンプ移送するものであり、
その複数台のポンプユニットのうち１台のポンプユニットを駆動ユニットに取り付け、それの運転中に、残りのポンプユニットを冷蔵室・殺菌室・恒温室等の保管室に保管することを特徴とする一軸偏心ねじポンプの取扱方法。
【発明の詳細な説明】
【０００１】
【発明の属する技術分野】
この発明は、洗浄及び冷蔵室・殺菌室・恒温室等の保管室での保管を必要とする食品、薬品及びケミカル液、固形物含有液、スラリー、高粘度液などの低粘度液から高粘度液に至る各種対象液を移送、充填、汲出を行う一軸偏心ねじポンプ及びその取扱方法（運用方法）に関し、詳しくは、駆動ユニットとポンプユニットとに分割可能な構造とし、この駆動ユニットとポンプユニットとを簡単に着脱できるようにした一軸偏心ねじポンプ及びその取扱方法に関する。
【０００２】
【従来の技術】
周知のように、一軸偏心ねじポンプは、回転駆動されるドライブシャフトにカップリングロッドを介して連結した雄ねじ形ロータを、雌ねじ形ステータ内に回転自在に嵌挿して偏心回転させることにより対象液を移送する構造からなっている（例えば特許文献１参照）。
【０００３】
そのような一軸偏心ねじポンプは、通常、分解・洗浄・組立をあまり必要としない用途に使用されるが、食品用途、ケミカル用途などの場合には、ポンプを分解・洗浄・組立をする必要がある。
【０００４】
しかしながら、従来の一軸偏心ねじポンプは、駆動部とポンプ部とを簡単に分割できる構造ではないので、分解・洗浄・組立場にポンプ全体（ポンプ一式）を運び、分解・洗浄・組立作業をする必要があった。なお、食品用途及びケミカル用途の一軸偏心ねじポンプにおいては、中小型サイズが主流である。
【０００５】
例えば図１３（ａ）（ｂ）に示すように、従来の一軸偏心ねじポンプ１０１は、減速機１０２の出力軸１０２ａに、カップリングスリーブ１０３を焼きハメ等の固定手段で一体的に取り付け、このカップリングスリーブ１０３にドライブシャフト１０４を連結し、このドライブシャフト１０４を、ユニバーサルジョイント１０５（カップリングロッド１０５ａ）を介してロータ１０６に接続して、ステータ１０７内でロータ１０６を偏心回転させるようになっている。そして、ドライブシャフト１０４に対して、メカニカルシール１０８が設けられており、ドライブシャフト１０４の回転を許容すると共に運転中に、ポンプケーシング１０９のポンプ室からの液漏れを防止する構造となっている。
【０００６】
洗浄のために分解する場合には、まず、カップリングスリーブ１０３に対しドライブシャフト１０４を固定しているドライブピン１１０を引き抜く。
【０００７】
次に、タイトニングナット１１１を緩め、エンドスタッド１１２の耳部に配置されたＵ字形状のタイトニングナット締付座１１９から、コネクチングハウジング１１３に設けられたヒンジピン１１４を支点として、ステーボルト１１５をスウィングする。このステーボルト１１５のスイングにより、コネクチングハウジング１１３とポンプケーシング１０９の分割面Ｘ（図１３（ｂ）参照）が解放される。
【０００８】
その後、ポンプケーシング１０９を図１３（ａ）において左側に抜くと、カップリングスリーブ１０３からドライブシャフト１０４が外れ、駆動部（モータ１１６、減速機１０２、減速機取付べース１１７、コネクチングハウジング１１３、カップリンクスリーブ１０３など）を残して、ポンプ部分を分離することができる。なお、１２０は位置決め及び廻り止めピンである。
【０００９】
【特許文献１】
特公昭５９−４５５８号公報（第３，４頁及びＦｉｇ．１）
【特許文献２】
実開平４−７５１７５号公報（明細書第６〜８頁及び図面第２図）
【００１０】
【発明が解決しようとする課題】
このように分割したポンプ部分をさらに分解して、洗浄することになるが、ステーボルト１１５のスイング支点（ヒンジピン１１４）が、駆動部側のコネクチングハウジング１１３に設けられているので（図１３（ｂ）参照）、ポンプ部分を分割している状態では、メカニカルシール１０８の固定側をサポートしているサポートハウジング１１８が軸方向（ポンプ長手方向）において規制されていない。サポートハウジング１１８が規制されていないことにより、分解・洗浄・組立場に運ぶ際に、サポートハウジング１１８が減速機１０２側に移動し、ポンプケーシング１０９とサポートハウジング１１８をシールしているＯリング３９、メカニカルシール１０８を構成するＯリング１０８ａ、Ｏリング１０８ｂを設けているシール部分及び摺動シール面（図１３（ａ）のイ部参照）の部分のシール機能が損なわれ、ポンプケーシング１０９（ポンプ室）内の対象液が漏れるという問題がある。
【００１１】
そのため、ポンプケーシング１０９内の対象液が漏れないように分解・洗浄・組立場に運ぶには、運転台やロボットアームから、モータ１１６や減速機１０２などの駆動部分を含むポンプ一式を取り外して、運ぶ必要があった。
【００１２】
他の問題として、組立時に、カップリングスリーブ１０３にドライブシャフト１０４を嵌挿して、ドライブピン１１０を挿入する際に、位置決め（軸方向及び回転方向の位置決め）を行いにくいという問題もある。
【００１３】
また、減速機１０２の出力軸１０２ａに取付けられているカップリングスリーブ１０３、さらにこれに接続されているドライブシャフト１０４の先端のユニバーサルジョイント１０５にかかる軸力による分力が半径方向にかかるので、強度的にも制約があり、ドライブシャフト１０４の撓みによるメカニカルシール１０８の摺動シール面（図１３（ａ）のイ部参照）が傾き、その結果、対象液が外部に漏れるおそれもある。
【００１４】
この発明は、一軸偏心ねじポンプ（特に、洗浄及び冷蔵庫等に保管を必要とする食品やケミカル液及び粘性液を移送・充填（ディスペンサ）・汲出（ディスチャージャ）する一軸偏心ねじポンプ）において、色替え（ポンプ移送する対象液を替えること）が容易になると共に、ポンプの稼働率を向上させることを目的とする。
【００１５】
【課題を解決するための手段】
請求項１の発明は、ステータ内でロータを偏心回転させるポンプユニットと、前記ロータを偏心回転させる駆動源を有する駆動ユニットとを備える一軸偏心ねじポンプにおいて、前記駆動ユニットと前記ポンプユニットとは着脱可能に連結され、前記ポンプユニット側に、前記ポンプユニット内の回転部材の回転を許容すると共に前記ポンプユニット内のポンプ室からの液漏れを防止する回転シール手段が配置されている構成とする。
【００１６】
このようにすれば、駆動ユニットに対しポンプユニットが着脱可能に連結され、前記ポンプユニット側に回転シール手段（軸封）が配置されているので、ポンプユニットに残液があっても、液漏れを生ずることなく、ポンプユニットのみを駆動ユニットから取り外すことができる。よって、取り外したポンプユニットについて、分解・洗浄・組立をしたり、残液が残存している状態のまま冷蔵室・殺菌室・恒温室等の保管室に保管したりすることができる。
【００１７】
また、従来は、ポンプユニットと駆動ユニットが一体的になっていたために、分解・洗浄・組立の際には、駆動部を含むポンプ一式をポンプ取付部分（ロボットアーム等）から取り外さなければならないため、（ｉ）モータ配線を取り外す必要があり、（ｉｉ）洗浄時にモータに水が入るおそれがあり、（ｉｉｉ）駆動部もポンプ部と一緒に取り外すので、重くて、取外し・（分解・洗浄・組立場への）搬送・取付けが大変であり、（ｉｖ）分解・洗浄・組立中はポンプは完全に停止状態となるなどの問題があったが、請求項１の発明では、これらの問題を解消することができる。
【００１８】
その場合には、請求項２に記載のように、１台の駆動ユニットに対し着脱可能に取り付けられるポンプユニットを複数台有する構成として、複数台のポンプユニットのうち１台のポンプユニットを駆動ユニットに取り付けて運転している時に、残りのポンプユニットを分解・洗浄・組立を行うことができる。これにより、一軸偏心ねじポンプの稼動率の向上が図れる。
【００１９】
すなわち、図７に示すように、駆動ユニットＵ６とポンプユニットに分割できる構造にし、なおかつ複数台のポンプユニットＵ１〜５を準備することによって、いずれかのポンプユニットＵ１を分解・洗浄場Ｓ１で分解・洗浄・組立の作業をしている間、他のポンプユニットＵ２を駆動ユニットＵ６に取り付けて、運転できるので、稼働率が大幅に向上する。
【００２０】
また、請求項３に記載のように、前記複数台のポンプユニットは、ポンプユニットごとにポンプ移送される対象液が異なる構成とすることも可能である。
【００２１】
このようにすれば、図７に示すように、複数台のポンプユニットＵ１〜Ｕ５のうち１台のポンプユニットＵ２を、（運転場Ｓ２の）ロボットアームＳ２１等に設けられている駆動ユニットＵ６に取り付けて運転している時に、残りのポンプユニットＵ３，Ｕ４，Ｕ５をそのまま冷蔵室・殺菌室・恒温室等の保管室Ｓ３に保管することができる。よって色替えによる分解・洗浄・組立の作業に要する労力を削減することもできる。
【００２２】
すなわち、色替え（多種の対象液を移送・充填・汲出）を頻繁に行う必要があるポンプにおいては、各種対象液専用のポンプユニットを用意しておけば、図７に示すように、ポンプユニットＵ２の運転中に、他のポンプユニットＵ３〜Ｕ５を冷蔵庫・殺菌室・恒温室等の保管室Ｓ３に保管して、次の運転に備えることができる。従って、色替え毎にポンプユニットを分解・洗浄・組立の作業を行う必要がない。
【００２３】
請求項４に記載のように、前記回転シール手段は、回転部材であるドライブシャフトに対し設けられ、前記ポンプユニットは、前記駆動ユニットから取り外された状態において、前記ドライブシャフトが軸方向に移動しないように構成する必要がある。
【００２４】
このようにすれば、回転シール手段が設けられるドライブシャフト（回転部材）が軸方向に移動しないので、ポンプユニットを駆動ユニットから取外した状態においても、ポンプユニットに設置した回転シール手段が移動しない（例えばメカニカルシールのシール面が開いたりしない）。よって、回転シール手段によるシール機能は確保され、その回転シール手段を設けている部分を通じてポンプケーシング内の対象液が外部に漏れない。
【００２５】
請求項５に記載のように、前記駆動ユニットは、減速機付きモータにて回転駆動される出力軸を有し、この出力軸に係合部が形成される一方、前記ポンプユニットは、ロータに連結されたドライブシャフトを有し、このドライブシャフトに前記係合部が係脱可能に係合される被係合部が形成され、前記駆動ユニットとポンプユニットとの間に、前記出力軸の係合部とドライブシャフトの被係合部とが係合した状態で、前記駆動ユニットとポンプユニットとの連結を行うコネクタが設けられている構成とすることができる。
【００２６】
このようにすれば、駆動ユニットとポンプユニットとの連結・連結解除が、駆動ユニット側の出力軸の係合部とドライブシャフトの被係合部との係合関係やコネクタを利用することで簡単かつ確実に実現される。
【００２７】
また、請求項６に記載のように、前記駆動ユニットは、ロータ及びステータを有するポンプ本体と、このポンプ本体の一端部に設けられるエンドスタッドと、前記ポンプ本体の他端部に一端部が接続されるポンプケーシングと、このポンプケーシングの他端部側に設けられ前記ポンプ室を形成するサポートハウジングと、前記ポンプケーシングをポンプ本体に対し中間アダプタを介してクランプ装置とを備える構成とすることができる。
【００２８】
さらに、請求項７に記載のように、前記ドライブシャフトに着脱可能な位置決めリングが取り付けられ、前記サポートハウジングと中間アダプタとによって前記位置決めリングが、回転可能でかつポンプ長手方向の移動が規制されるように挟まれ、かつサポートハウジングに取り付けられた軸受により前記ドライブシャフトの回転を支持するようにしている。
【００２９】
このようにすれば、簡単な構造で、ポンプユニットを構成でき、ドライブシャフトがそれの軸方向に移動するのを規制することができ、また、ドライブシャフトの回転ブレを防止することができる。
【００３０】
また、請求項８に記載のように、前記駆動ユニットの出力軸に、一端部に前記ドライブシャフトが挿入されるカップリングスリーブの他端部が一体的に取付けられ、このカップリングスリーブ内にドライブピンがスリーブ直径方向に設けられる一方、前記ドライブシャフトの駆動ユニット側端部をＵ字形に切り欠いて切り欠き部が形成されると共に、前記コネクタで連結される際に、前記切り欠き部とドライブピンとが係合することで、前記出力軸とドライブシャフトとが動力伝達可能な状態に連結される構成とすることができる。
【００３１】
このようにすれば、駆動ユニットとポンプユニットとを連結する際に、切り欠き部とドライブピンとにより無理なく位置決めがなされ、簡単に動力伝達可能な状態とされる。
【００３２】
前述した請求項１〜８のいずれかに記載の一軸偏心ねじポンプは、請求項９，１０に記載のように、取り扱う（運用する）ことができる。
【００３３】
請求項９の発明は、駆動ユニットと、それに着脱可能に取り付けられる少なくとも２台のポンプユニットとを有する一軸偏心ねじポンプの取扱方法であって、前記ポンプユニット側に、前記ポンプユニット内のポンプ室からの液漏れを防止する回転シール手段を配置し、前記ポンプユニットのうち１台のポンプユニットを駆動ユニットに取り付け、それの運転中に、残りのポンプユニットについて分解・洗浄・組立を行うものである。
【００３４】
請求項１０の発明は、駆動ユニットと、それに着脱可能に取り付けられる少なくとも２台のポンプユニットとを有する一軸偏心ねじポンプの取扱方法であって、前記ポンプユニット側に、前記ポンプユニット内のポンプ室からの液漏れを防止する回転シール手段を配置し、ポンプユニットは、ユニットごとに異なる対象液をポンプ移送するものであり、その複数台のポンプユニットのうち１台のポンプユニットを駆動ユニットに取り付け、それの運転中に、残りのポンプユニットを冷蔵室・殺菌室・恒温室等の保管室に保管するものである。
【００３５】
【発明の実施の形態】
以下、この発明の実施の形態を図面に沿って説明する。なお、本発明が適用される一軸偏心ねじポンプは、前述したように、洗浄及び冷蔵室・殺菌室・恒温室等の保管室に保管する必要がある食品・薬品及びケミカル液・固形物含有液・スラリー・高粘度液などの低粘度液から高粘度液に至るまでの各種対象液の移送・充填・汲出を行うもので、（ａ）食品やケミカル液を移送する移送ポンプ、（ｂ）ディスペンサ（充填ポンプ）、（ｃ）ディスチャージャ（汲出ポンプ）に適用できるものである。
【００３６】
図１に示すように、本発明に係る一軸偏心ねじポンプ１は、ポンプユニットＵ１（Ｕ２〜Ｕ５）及び駆動ユニットＵ６により構成される。なお、ポンプユニットＵ１〜Ｕ５は同一の構造であり、いずれのポンプユニットＵ１〜Ｕ５も駆動ユニットＵ１に着脱可能である（図７参照）。この一軸偏心ねじポンプ１は、設置状態では、長手方向が上下方向となる縦置きで、上側に駆動ユニットＵ６、下側にポンプユニットＵ１（Ｕ２〜Ｕ５）がそれぞれ位置し、本例では、下側から対象液を吐出する充填作業に使用される（商品名：ディスペンサ）。
【００３７】
ポンプユニットＵ１は、基本的には、ポンプ本体２、ジョイント３、回転シール手段４（軸封）、筒状のポンプケーシング５、サポートハウジング６、ドライブシャフト７、ノズル８（エンドスタッド）、中間アダプタ９、位置決めリング１０、スリーブ１１、クランプ装置１２、コネクタ１３の一部（被係合具２１）を備える。一方、駆動ユニットＵ６は、基本的には、駆動部１４（減速機付きモータ）、減速機取付べース１５、カップリングスリーブ１６、コネクタ１３の残部（スプリング２２、係合具２３）を備える。
【００３８】
そして、ポンプ本体２は、ステータ１０７内でロータ１０６が偏心回転するもので、一端部にノズル８が設けられ、他端部にポンプケーシング５の一端部が接続されている。このポンプケーシング５の他端部には、回転シール手段４を介してサポートハウジング６が設けられ、ポンプケーシング５内にポンプ室を形成している。このポンプケーシング５及びサポートハウジング６は、ポンプ本体２に対し中間アダプタ９を介してクランプ装置１２にてクランプされている。駆動部１４の出力軸３６に固定ピン３７にてカップリングスリーブ１６の一端部が取付固定され、このカップリングスリーブ１６の他端部にポンプユニットＵ１側のドライブシャフト７が連結され、動力伝達可能な状態となる。
【００３９】
ポンプユニットＵ１（Ｕ２〜Ｕ５）と駆動ユニットＵ６とは、それらユニットＵ１，Ｕ６間にわたって設けられたコネクタ１３（例えば、ステンレスキャッチクリップ：商品名）により連結・連結解除を行うことができ、その連結を解除することにより、中間アダプタ９と減速機取付ベース１５との間で分離可能な状態となる。その状態で、駆動ユニットＵ６からポンプユニットＵ１（Ｕ２〜Ｕ５）を分離すれば、２つのユニットＵＩ，Ｕ６に無理なく分割することができる。コネクタ１３は、図３に示すように、ポンプユニットＵ１側の中間アダプタ９に取り付けられた被係合具２１と、減速機取付ベース１５側にスプリング２２を介して取り付けられ被係合具２１に係合可能に係合する係合具２３とを有し、スプリング２２の伸縮力を利用してワンタッチで、連結状態と連結解除状態との切換えができるものである。
【００４０】
そして、コネクタ１３を、被係合具２１と係合具２３の係合が解除された連結解除状態とし、その状態でポンプユニットＵ１を駆動ユニットＵ６からポンプ長手方向（ドライブシャフト７の軸方向）に引き離すように引っ張れば、カップリングスリーブ１６に嵌挿しているドライブシャフト７の一端部も同時に外れ、ポンプユニットＵ１と駆動ユニットＵ６とを簡単に分割することができる。
【００４１】
また、回転シール手段４は、ドライブシャフト７に取り付けられるもので、駆動ユニットＵ６から分割された状態で、回転シール手段４の部位から対象液が漏れる（ポンプケーシング５のポンプ室内の残液が漏れる）のを防止するように構成されている。なお、分割時には、図２に二点鎖線で示すように、吐出口２４は蓋２５にて、吸込口２６は蓋２７にて閉塞され、ポンプケーシング５内の残液が吐出口２４や吸込口２６より漏れないようにされる。
【００４２】
駆動ユニットＵ６側の減速機取付ベース１５は、カップリングスリーブ１６などが収納される筒状部分に、ロボットアーム２８に固定的に取付けられる取付部１５ａが形成されている（図２の二点鎖線参照）。
【００４３】
ノズル８の外側には、図１及び図４に示すように、２つの切り欠き３１ａが形成されたフランジ状のノズルサポート３１が嵌め込まれ、その切り欠き３１ａにステーボルト１２ａのねじ部が挿通され、タイトニングナット３３にて固定される構成とされている。なお、ノズル８とノズルサポート３１とは一体化することもできる。
【００４４】
図１及び図５に示すように、ロータ１０６とドライブシャフト７とは、オルダム継手３４を用いて連結されている。このオルダム継手３４は、ロータ１０６およびドライブシャフト７に一体に形成されたオスボス部３４ａ，３４ｂと、それらにスライド可能に嵌合されるメスボス３４ｃとを有する。オスボス部３４ａとメスボス３４ｃとの嵌合方向と、オスボス部３４ｂとメスボス３４ｃとの嵌合方向とは直交している。
【００４５】
また、回転シール手段４は、シールリング３５ａ、フローティングシート３５ｂ，圧縮バネ３５ｃ、廻り止めピン３５ｄ，３５ｅ及びＯリング３５ｆ，３５ｇを有するメカニカルシールとして構成される。また、ポンプケーシング５とサポートハウジング６との間にもＯリング３９が設けられ、ポンプケーシング５とサポートハウジング６との間もシールされている。
【００４６】
図６（ａ）に示すように、ドライブシャフト７は、一部が矩形断面形状に加工され、この矩形断面部７ａに対応する矩形穴を有し二分割可能である位置決めリング１０（部材１０Ａ，１０Ｂからなる）が前記矩形断面部７ａに装着され、位置決めリング１０が開かないように（分割しないように）スリーブ１１を外側から嵌合状態で取付けている。
【００４７】
また、図５、図６（ｂ）〜（ｄ）に示すように、前記ドライブシャフト７の駆動ユニットＵ６側の端部をＵ字形に切り欠いて切り欠き部７ｂが形成されると共に、出力軸３６に固定ピン３７によりカップリングスリーブ１６が一体的に取付けられ、このカップリングスリーブ１６内の穴にドライブピン３８が直径方向に貫通して設けられている。そして、中間アダプタ９と取付ベース１５をコネクタ１３で結合する際に、切り欠き部７ｂとドライブピン３８が係脱可能に係合して、ロータ１０６を駆動するための動力伝達ができる状態となる構成とされている。
【００４８】
なお、ドライブシャフト７の軸方向の移動は、駆動部１４側方向の移動についてはドライブピン３８との係合により、ポンプ本体２側方向の移動に対しては、無潤滑ブッシュ１９によりそれぞれ規制されている。この場合、サポートハウジング６と位置決めリング１０との間には隙間が形成されている。
【００４９】
この位置決めリング１０（フランジ部１０ａ）は、（ポンプケーシング５の駆動ユニットＵ６側の端部に嵌合されている）サポートハウジング６と中間アダプタ９との間に、回転可能なようにかつドライブシャフト７の軸方向に移動しないように、所定の範囲内にある隙間をもって挟まれている。
【００５０】
また、ステーボルト１２ａを含むクランプ装置１２でもって、このサポートハウジング６や中間アダプタ９がポンプケーシング５から外れないように、ステータ１０７とポンプケーシング５を挟んだ状態でノズルサポート３１（又はエンドスタッド）と中間アダプタ９をクランプする構成とされている。これにより、駆動ユニットＵ６からポンプユニットＵ１を分離しても、サポートハウジング６や中間アダプタ９がポンプユニットＵ１側にクランプされたままであるので、回転シール手段４（メカニカルシール）やＯリング３９の位置がずれて液漏れが生ずることはない。
【００５１】
また、サポートハウジング６又は中間アダプタ９がポンプケーシング５から外れないように、ポンプケーシング５と中間アダプタ９とをクランプする構成としてもよい。
【００５２】
また、図７に示すように、駆動ユニットＵ６とポンプユニットＵ１に分割できる構造にするだけでなく、その駆動ユニットＵ６に着脱可能に取り付けることができる複数台のポンプユニットＵ１，Ｕ２を準備すれば、例えばポンプユニットＵ１を分解洗浄場Ｓ１で分解・洗浄の作業をしている間、他のポンプユニットＵ２を駆動ユニットＵ６に取り付けて、運転場Ｓ２で運転することができる。これにより、稼働率を大幅に向上させることが可能となる。
【００５３】
さらに、色替え（多種の対象液を移送・充填・汲出）を頻繁に行う必要があるポンプにおいては、対象液専用のポンプユニットＵ３〜Ｕ５を用意（準備）しておけば、ポンプユニットＵ２の運転中に、他のポンプユニットＵ３，Ｕ４，Ｕ５は冷蔵庫・殺菌室・恒温室等の保管室Ｓ３に保管しておくことができ、次の運転に備えることが可能となる。
【００５４】
従って、色替え毎にポンプを分解・洗浄・組立の作業を行う必要がない。
【００５５】
なお、前記実施の形態において、駆動ユニットＵ６側から見てロータ１０６がステータ１０７内を左回転で、ポンプケーシング５側からの吸込みとなり、ノズル８から吐出される（この場合はディスペンサとして一般的に適用される）。また、駆動ユニットＵ６側から見てロータ１０６が右回転で、エンドスタッド（ノズル）側からの吸込みとなり、ポンプケーシング５に設けられた吐出口から吐出される（この場合はディスチャージャとして一般的に適用される）。
【００５６】
本発明は、上述した実施の形態に限定されるものではなく、次のように変更することも可能である。
【００５７】
（ｉ）図８に示すように、位置決めリング１０のフランジ部１０ａをサポートハウジング６及び中間アダプタ９で、外周縁と中間アダプタ９との間に所定の隙間をもつように挟み、（位置決めリング１０が外側に嵌合される）ドライブシャフト７が軸方向に移動しないようにすることもできる。この場合は、ドライブシャフト７の軸方向の動きを、ハ部及びへ部で規制している。
【００５８】
そして、ドライブシャフト７の端部のＵ字形状の切り欠き部７ｂとカップリングスリーブ１６のドライブピン３８との間のニ部にはドライブシャフト７の軸方向に隙間が形成されている。
【００５９】
（ｉｉ）図９に示すように、ドライブシャフト７の軸方向の位置決めに、組合わせアンギュラ玉軸受４１を用いることもできる。つまり、組合わせアンギュラ玉軸受４１で、ドライブシャフト７の軸方向の移動を規制している。この場合も、図８に示す場合と同様に、ドライブシャフト７の切り欠き部７ｂとカップリングスリーブ１６のドライブピン３８との間には隙間が形成されている。
【００６０】
一軸偏心ねじポンプは、吐出口・吸込口の位置及び吐出圧・吸込圧により、ドライブシャフト７に作用する力の大きさ及び方向が決まる。そして、図１３に示す従来構造では、このドライブシャフト１０４にかかる軸方向及び半径方向の力は減速機１０２に内蔵された軸受で受けるようになっている。そのため、ポンプの仕様によっては．減速機１０２内蔵の軸受では、強度不足の場合がある。
【００６１】
図９に示すように、組合わせアンギュラ玉軸受４１を使用すれば、スラスト及びラジアル方向の力を支持することができるので、上記問題を解消できると共に、ドライブシャフト７のラジアル力による撓みを防止することもできる。
【００６２】
また、組合わせアンギュラ玉軸受４１の代わりに、円錐ころ軸受、自動調心ころ軸受等を使用することもできる。
【００６３】
（ｉｉｉ）図１０に示すように、ポンプケーシング５内が高圧（２〜５ＭＰａ程度）の条件下で使用されるものの場合には、回転シール手段４’として、高圧でもシールすることができるＵーパッキン５１（商品名：ロト・バリシール）を用いることも可能である。
【００６４】
ただし、Ｕーパッキン５１を用いると、それのリップ力で、ドライブシャフト７の摺動面を硬化処理しても、すり減り（あるいは僅かに傷がつき）、ポンプ室内の液が外部に漏れるおそれがある。そのため、Ｕーパッキン５１を用いる場合には、それによるシール位置をずらせるように構成されている。なお、本例では、初期位置も含めて、シール位置を３回変更できるように構成されている。ここで、Ｕーパッキン５１によるシール位置の変更は、取り付けプレート５１ａ、サポートプレート５１ｂ及びアダプタプレート５１ｃを入れ替えることにより行う。
【００６５】
図１０の上半分は初期セット状態を示し、同図の下半分は３回目のセット状態を示す。
【００６６】
（ｉｖ）図１１に示すように、ポンプユニットＵ１と駆動ユニットＵ６を接続するコネクタ１３’を構成することも可能である。
【００６７】
この場合は、ポンプユニットＵ１と駆動ユニットＵ６を接続してから、スイングボルト６１を、Ｙ方向に回転して、減速機取付ベース１５の取付凹部１５ｂ内に係合し（図１１に図示の状態）、その係合状態で締付ナット６２で締め付けることにより、両ユニットＵ１，Ｕ６を一体に連結することができる。連結を解除する場合には、締付ナット６２を緩めて、スイングボルト６１をＺ方向に回転すればよい。なお、図示していないが、中間アダプタ９と減速機取付ベース１５の位置決め及び廻り止めのためのピン等を必要に応じて設けてもよい。
【００６８】
（ｖ）図１２に示すように、クランプ装置１２’及びコネクタ１３’にサニタリー継手７１（Ｉ．Ｄ．Ｆ．クランプ継手）を、ジョイント３’にユニバーサルジョイント７２を用いることも可能である。
【００６９】
この場合は、ポンプユニットＵ１と駆動ユニットＵ６の分割個所は、中間アダプタ９’とコネクチングハウジング７３との間である。なお、コネクチングハウジング７３と減速機取付ベース７４は一体化してもよい。
【００７０】
（ｖｉ）  駆動部については、減速機付モータのほか、モータ直動でも可能である。モータとしては、汎用モータ、インバータモータ、サーボモータ、エヤーモータ、油圧モータ等、何れでも可能である。
【００７１】
（ｖｉｉ）回転シール手段４（軸封）は、メカニカルシール、Ｕ−パッキン（商品名：ロト・バリシール）のほか、グランドパッキンなど何れでも可能である。
【００７２】
（ｖｉｉｉ）ジョイント３としては、オルダム継手、ユニバーサルジョイントのほか、フレキシブルシャフト、フレキシブルワイヤ他、何れでも可能である。
【００７３】
（ｉｘ）エンドスタッドは、ノズルのほか、何れでも可能である。
【００７４】
（ｘ）クランプ装置１２は、ステーボルト方式、サニタリー継手のほか、何れでも可能である。
【００７５】
（ｘｉ）コネクタ１３は、キャッチクリップ、スイングボルトのほか、何れでも可能である。
【００７６】
（ｘｉｉ）中間軸受は、無潤滑ブッシュ又は転がり（玉）軸受でも可能である。また、中間軸受を用いなくてもよい。
【００７７】
（ｘｉｉｉ）位置決めリング１０は２分割で、ドライブシャフト７の矩形断面部に嵌め込み、スリーブ１１にて運転時に開かないように、位置決めリング１０をドライブシャフト７に取外し可能に取り付けるようにしているが、他の方法でもよい。
【００７８】
【発明の効果】
この発明は、以上に説明したように実施され、駆動ユニットに対しポンプユニットを着脱可能に取り付け、前記ポンプユニット側に回転シール手段（軸封）を配置しているので、残液のある状態でポンプユニットを駆動ユニットから取り外して、液漏れを生ずることがない。よって、ポンプユニットのみを取り外して、分解・洗浄・組立の作業をしたり、冷蔵室・殺菌室・恒温室等の保管室にいわゆる色替えのために保管したりすることができる。
【図面の簡単な説明】
【図１】本発明の第１の実施例に係わる一軸偏心ねじポンプを、一部断面で示す側面
である。
【図２】図１のＡ−Ａ線における断面図である。
【図３】図１の本発明一軸偏心ねじポンプを、ポンプユニットと駆動ユニットとに分割した状態を示す図である。
【図４】図１のＢ−Ｂ線における断面図である。
【図５】本発明の一軸偏心ねじポンプの要部を示す拡大断面図である。
【図６】（ａ）〜（ｄ）はそれぞれ図５のＣ−Ｃ線、Ｄ−Ｄ線、Ｅ−Ｅ線及びＦ−Ｆ線における断面図である。
【図７】本発明の分割・着脱式一軸偏心ねじポンプの取扱方法（運用方法）を示す説明図である。
【図８】ドライブシャフトの軸方向の移動を規制する第２の実施例を示す図面である。
【図９】ドライブシャフトの軸方向の移動を規制する第３の実施例を示す図面である。
【図１０】回転シール手段にＵーパッキンを使用した状態の本発明の実施例を示す図である。
【図１１】コネクタにスイング式ボルトを用いた状態の本発明の実施例を示す図である。
【図１２】クランプ装置についての他の実施例を示す図である。
【図１３】（ａ）従来の分割式ではない一軸偏心ねじポンプの一例を示す一部を断面で表した側面図、（ｂ）は同平面図である。
【符号の説明】
Ｕ１〜Ｕ５    ポンプユニット
Ｕ６    駆動ユニット
１    一軸偏心ねじポンプ
２    ポンプ本体
３    ジョイント
４    回転シール手段（軸封）
５    ポンプケーシング
６    サポートハウジング
７    ドライブシャフト
７ａ    矩形断面部
７ｂ    切り欠き部（被係合部）
８    ノズル
９    中間アダプタ
１０    位置決めリング
１１    スリーブ
１２    クランプ装置
１３    コネクタ
１４    駆動部
１５    減速機取付ベース
１６    カップリングスリーブ
３６    出力軸
３８    ドライブピン（係合部）
１０６    ロータ
１０７    ステータ
Ｓ１        分解・洗浄場
Ｓ２      運転場
Ｓ３        冷蔵室・殺菌室・恒温室等の保管室
【図１】
2004353605.tif 000003
【図２】
2004353605.tif 000004
【図３】
2004353605.tif 000005
【図４】
2004353605.tif 000006
【図５】
2004353605.tif 000007
【図６】
2004353605.tif 000008
【図７】
2004353605.tif 000009
【図８】
2004353605.tif 000010
【図９】
2004353605.tif 000011
【図１０】
2004353605.tif 000012
【図１１】
2004353605.tif 000013
【図１２】
2004353605.tif 000014
【図１３】
2004353605.tif 000015